(57)【要約】      （修正有）【課題】  顔面前方によけいな部材が常に存在することをなくし、デザイン的にも優れたヘッドマウントディスプレイを提供する。【解決手段】  図１に実線で示された使用状態の位置から、ディスプレイアーム３を下側に回動すると、表示部２が使用者の頭部Ｈの前面にあたってしまう。そこで、ディスプレイアーム３を下側に回動させる前に、表示部２を矢印Ｂで示すように回動させて、使用者の頭部Ｈの前面から離れた２点鎖線で示す待避位置とし、その上でディスプレイアーム３を下側に回動させれば、表示部２が使用者の頭部Ｈの前面に当たることなく、表示部２とディスプレイアーム３を使用者の顔面から下側に位置させることができる。【選択図】  図１
2006005827.tif 000002
【特許請求の範囲】
【請求項１】
装着者に画像を表示するための表示部と、前記表示部を支持する支持部と、前記支持部を保持して顔前以外の位置で装着者に装着される装着部とを有し、前記装着部は、前記装着者の両側側頭部に各々接する複数の当接部と、当該当接部同士を接続し、かつ、当該当接部が装着者の側頭部に押圧されるような付勢力を与える接続部を有し、当該接続部は、装着者の顔部の下側を通って、前記複数の当接部を接続するように構成され、前記支持部は、前記当接部の一つに設けられた回動部を中心にして装着者の顔部の上下方向に回動可能とされており、前記表示部は、前記支持部の先端部に回動可能に保持されて、画像を観察するための画像観察位置と、前記回動部を回動させて前記表示部を装着者の顔面の上側又は下側に位置させる際に装着者の顔部に接しない待避位置との間を回動可能とされていることを特徴とするヘッドマウントディスプレイ。
【請求項２】
装着者に画像を表示するための表示部と、前記表示部を支持する支持部と、前記支持部を保持して顔前以外の位置で装着者に装着される装着部とを有し、前記装着部は、前記装着者の両側側頭部に各々接する複数の当接部と、当該当接部同士を接続し、かつ、当該当接部が装着者の耳に押圧されるような付勢力を与える接続部を有し、当該接続部は、装着者の顔部の下側を通って、前記複数の当接部を接続するように構成され、前記支持部は、前記接続部に設けられた回動部を中心にして装着者の顔部の上下方向に回動可能とされており、前記表示部は、前記支持部の先端部に回動可能に保持されて、画像を観察するための画像観察位置と、前記回動部を回動させて前記表示部を装着者の顔面の上側又は下側に位置させる際に装着者の顔部に接しない待避位置との間を回動可能とされていることを特徴とするヘッドマウントディスプレイ。
【請求項３】
請求項１又は請求項２に記載のヘッドマウントディスプレイであって、前記支持部が、前記表示部を装着者の眼の位置に位置させるように回動されている状態で、前記ヘッドマウントディスプレイの、前記当接部を中心とする回転モーメントが、前記当接部と装着者の側頭部とのフリクションに打ち勝って、前記接続部を、装着者の胸部に押し当てるように、前記ヘッドマウントディスプレイを回動させるようにされていることを特徴とするヘッドマウントディスプレイ。
【請求項４】
装着者に画像を表示するための表示部と、前記表示部を支持する支持部と、前記支持部を保持して顔前以外の位置で装着者に装着される装着部とを有し、前記装着部は、前記装着者の両側側頭部に各々接する複数の当接部と、当該当接部同士を接続し、かつ、当該当接部が装着者の側頭部に押圧されるような付勢力を与える接続部を有し、当該接続部は、装着者の頭部の上側を通って、前記複数の当接部を接続するように構成され、前記支持部は、前記当接部の一つに設けられた回動部を中心にして装着者の顔部の上下方向に回動可能とされており、前記表示部は、前記支持部の先端部に回動可能に保持されて、画像を観察するための画像観察位置と、前記回動部を回動させて前記表示部を装着者の顔面の上側又は下側に位置させる際に装着者の顔部に接しない待避位置との間を回動可能とされていることを特徴とするヘッドマウントディスプレイ。
【請求項５】
装着者に画像を表示するための表示部と、前記表示部を支持する支持部と、前記支持部を保持して顔前以外の位置で装着者に装着される装着部とを有し、前記装着部は、前記装着者の両側側頭部に各々接する複数の当接部と、当該当接部同士を接続し、かつ、当該当接部が装着者の側頭部に押圧されるような付勢力を与える接続部を有し、当該接続部は、装着者の顔部の上側を通って、前記複数の当接部を接続するように構成され、前記支持部は、前記接続部に設けられた回動部を中心にして装着者の顔部の上下方向に回動可能とされており、前記表示部は、前記支持部の先端部に回動可能に保持されて、画像を観察するための画像観察位置と、前記回動部を回動させて前記表示部を装着者の顔面の上側又は下側に位置させる際に装着者の顔部に接しない待避位置との間を回動可能とされていることを特徴とするヘッドマウントディスプレイ。
【請求項６】
請求項１から請求項５のうちいずれか１項に記載のヘッドマウントディスプレイであって、前記表示部を待避位置に位置させて、前記支持部を回動させ、前記接続部と前記支持部が重なるようにしたとき、前記表示部が前記支持部に衝突しないように、前記待避位置が定められていることを特徴とするヘッドマウントディスプレイ。
【請求項７】
請求項１から請求項６のうちいずれか１項に記載のヘッドマウントディスプレイであって、装着者の頭部後方を回って前記当接部同士をつなぐ、接続部材が設けられていることを特徴とするヘッドマウントディスプレイ。
【請求項８】
前記接続部材が、装着者が画像を観察しているときに、前記当接部が下方に落下しないような締め付け力を与えるものであることを特徴とする請求項７に記載のヘッドマウントディスプレイ。
【請求項９】
請求項１から請求項８のうちいずれか１項に記載のヘッドマウントディスプレイであって、前記表示部、前記支持部、前記当接部、前記回動部に必要とされる電気配線が、外部から前記接続部に接続され、前記接続部を介して、前記表示部、前記支持部、前記当接部、前記回動部に導かれていることを特徴とするヘッドマウントディスプレイ。
【発明の詳細な説明】
【技術分野】
【０００１】
本発明は頭部に装着して映像を観測するヘッドマウントディスプレイに関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々提案され、ヘッドマウントディスプレイと呼ばれている。
【０００３】
この映像表示装置は、多くの場合、頭に巻いた形で頭部に装着する構成とされ、両眼に対応する位置に映像表示系を形成した両眼タイプと左右眼の一方の眼に対応する位置に映像表示系を形成した片眼タイプとがある。このうち、両眼タイプのものは、主として映像を楽しむための目的に使用される。片眼タイプのものは、例えばウエアラブルパソコン等の表示装置等や、作業者に指示を表示する表示装置としての使用方法が期待されている。
【０００４】
このような片眼タイプのヘッドマウントディスプレイは、特開平８−３２０４５３号公報（特許文献１）、特開平９−３１８９０５号公報（特許文献２）に開示されている。
【０００５】
【特許文献１】特開平８−３２０４５３号公報
【特許文献２】特開平９−３１８９０５号公報
【発明の開示】
【発明が解決しようとする課題】
【０００６】
しかしながら、このような方式のヘッドマウントディスプレイでは、顔面前方によけいな部材が常に存在し、デザイン的にも良くないという問題点がある。
【０００７】
本発明はこのような事情に鑑みてなされたもので、顔面前方によけいな部材が常に存在することをなくし、デザイン的にも優れたヘッドマウントディスプレイを提供することを課題とする。
【課題を解決するための手段】
【０００８】
前記課題を解決するための第１の手段は、装着者に画像を表示するための表示部と、前記表示部を支持する支持部と、前記支持部を保持して顔前以外の位置で装着者に装着される装着部とを有し、前記装着部は、前記装着者の両側側頭部に各々接する複数の当接部と、当該当接部同士を接続し、かつ、当該当接部が装着者の耳に押圧されるような付勢力を与える接続部を有し、当該接続部は、装着者の顔部の下側を通って、前記複数の当接部を接続するように構成され、前記支持部は、前記当接部の一つに設けられた回動部を中心にして装着者の顔部の上下方向に回動可能とされており、前記表示部は、前記支持部の先端部に回動可能に保持されて、画像を観察するための画像観察位置と、前記回動部を回動させて前記表示部を装着者の顔面の上側又は下側に位置させる際に装着者の顔部に接しない待避位置との間を、回動可能とされていることを特徴とするヘッドマウントディスプレイ（請求項１）である。
【０００９】
本手段においては、装着者が画像を観察しないときには、支持部を回動部の周りに回動させて、支持部と表示部を装着者の顔面の上側又は下側に位置させることができる。よって、不使用時に顔面前方に余計な部材が存在しなくなり、煩わしさが低減される。更に、本手段においては、支持部を顔面の上方又は下方に回動させる際に、表示部を待避位置に待避させることができるので、表示部が顔部に衝突することがなくなる。
【００１０】
前記課題を解決するための第２の手段は、装着者に画像を表示するための表示部と、前記表示部を支持する支持部と、前記支持部を保持して顔前以外の位置で装着者に装着される装着部とを有し、前記装着部は、前記装着者の両側側頭部に各々接する複数の当接部と、当該当接部同士を接続し、かつ、当該当接部が装着者の側頭部に押圧されるような付勢力を与える接続部を有し、当該接続部は、装着者の顔部の下側を通って、前記複数の当接部を接続するように構成され、前記支持部は、前記接続部に設けられた回動部を中心にして装着者の顔部の上下方向に回動可能とされており、前記表示部は、前記支持部の先端部に回動可能に保持されて、画像を観察するための画像観察位置と、前記回動部を回動させて前記表示部を装着者の顔面の上側又は下側に位置させる際に装着者の顔部に接しない待避位置との間を回動可能とされていることを特徴とするヘッドマウントディスプレイ（請求項２）である。
【００１１】
本手段は、前記第１の手段とは、支持部の回動中心となる回動部が、当接部でなく接続部の所定位置に設けられている点が異なるのみである。よって、前記第１の手段と同様の作用効果を奏するが、支持部の取り付け位置に自由度を持たせることができる。
【００１２】
前記課題を解決するための第３の手段は、前記第１の手段又は第２の手段であって、前記支持部が、前記表示部を装着者の眼の位置に位置させるように回動されている状態で、前記ヘッドマウントディスプレイの、前記当接部を中心とする回転モーメントが、前記当接部と装着者の側頭部とのフリクションに打ち勝って、前記接続部を、装着者の胸部に押し当てるように、前記ヘッドマウントディスプレイを回動させるようにされていることを特徴とするもの（請求項３）である。
【００１３】
一般に、ヘッドマウントディスプレイを、当接部を両側頭部に押し当てるだけで支えて動かないようにしようとすると、かなり大きな押圧力を当接部に与えなくてはならず、装着者に不快感を与える場合があるので押圧力をあまり大きくできない。よって、装着者が首を激しく動かしたりすると、ヘッドマウントディスプレイが、側頭部を中心に回動し、そのために表示部が画像の観察に適した位置からずれてしまうことがある。
【００１４】
本手段においては、支持部が、表示部を装着者の眼の位置に位置させるように回動されている状態で、ヘッドマウントディスプレイの、前記当接部を中心とする回転モーメントが、当接部と装着者の側頭部とのフリクションに打ち勝って、接続部を、装着者の胸部に押し当てるように、前記ヘッドマウントディスプレイを回動させるようになっている。よって、一時的に表示部の位置がずれたとしても、ヘッドマウントディスプレイは、その接続部が装着者の胸に当たるまで回動し、そのため表示部は前の状態に戻る。よって、装着者は、安定した状態で、画像を観察することができる。
【００１５】
前記課題を解決するための第４の手段は、装着者に画像を表示するための表示部と、前記表示部を支持する支持部と、前記支持部を保持して顔前以外の位置で装着者に装着される装着部とを有し、前記装着部は、前記装着者の両側側頭部に各々接する複数の当接部と、当該当接部同士を接続し、かつ、当該当接部が装着者の側頭部に押圧されるような付勢力を与える接続部を有し、当該接続部は、装着者の頭部の上側を通って、前記複数の当接部を接続するように構成され、前記支持部は、前記当接部の一つに設けられた回動部を中心にして装着者の顔部の上下方向に回動可能とされており、前記表示部は、前記支持部の先端部に回動可能に保持されて、画像を観察するための画像観察位置と、前記回動部を回動させて前記表示部を装着者の顔面の上側又は下側に位置させる際に装着者の顔部に接しない待避位置との間を回動可能とされていることを特徴とするヘッドマウントディスプレイ（請求項４）である。
【００１６】
本手段は、前記第１の手段とは、接続部が装着者の頭部の上側を通って、前記複数の当接部を接続するように構成されているところが異なっているのみであり、前記第１の手段と同様の作用効果を奏する。
【００１７】
前記課題を解決するための第５の手段は、装着者に画像を表示するための表示部と、前記表示部を支持する支持部と、前記支持部を保持して顔前以外の位置で装着者に装着される装着部とを有し、前記装着部は、前記装着者の両側側頭部に各々接する複数の当接部と、当該当接部同士を接続し、かつ、当該当接部が装着者の側頭部に押圧されるような付勢力を与える接続部を有し、当該接続部は、装着者の顔部の上側を通って、前記複数の当接部を接続するように構成され、前記支持部は、前記接続部に設けられた回動部を中心にして装着者の顔部の上下方向に回動可能とされており、前記表示部は、前記支持部の先端部に回動可能に保持されて、画像を観察するための画像観察位置と、前記回動部を回動させて前記表示部を装着者の顔面の上側又は下側に位置させる際に装着者の顔部に接しない待避位置との間を回動可能とされていることを特徴とするもの（請求項５）である。
【００１８】
本手段は、前記第２の手段とは、接続部が装着者の頭部の上側を通って、前記複数の当接部を接続するように構成されているところが異なっているのみであり、前記第２の手段と同様の作用効果を奏する。
【００１９】
前記課題を解決するための第６の手段は、前記第１の手段から第５の手段のいずれかであって、前記表示部を待避位置に位置させて、前記支持部を回動させ、前記接続部と前記支持部が重なるようにしたとき、前記表示部が前記支持部に衝突しないように、前記待避位置が定められていることを特徴とするもの（請求項６）である。
【００２０】
本手段においては、ヘッドマウントディスプレイの不使用時に、接続部と支持部・表示部を重ねた状態で収納が可能であるので、収納状態における形状を小さくすることができる。
【００２１】
前記課題を解決するための第７の手段は、前記第１の手段から第６の手段のいずれかであって、装着者の頭部後方を回って前記当接部同士をつなぐ、接続部材が設けられていることを特徴とするもの（請求項７）である。
【００２２】
本手段においては、装着者の頭部後方を回って前記当接部同士をつなぐ接続部材により、ヘッドマウントディスプレイを使用しないときに、首にぶら下げることができる。
【００２３】
前記課題を解決するための第８の手段は、前記第７の手段であって、前記接続部材が、装着者が画像を観察しているときに、前記当接部が下方に落下しないような締め付け力を与えるものであることを特徴とするもの（請求項８）である。
【００２４】
本手段においては、ヘッドマウントディスプレイ全体を保持している当接部の締め付け力が弱い場合でも、当接部（従ってヘッドマウントディスプレイ全体）が下方に落下するのを防ぐことができるので、安定して画像を観察することができる。
【００２５】
前記課題を解決するための第９の手段は、前記第１の手段から第８の手段のいずれかであって、前記表示部、前記支持部、前記当接部、前記回動部に必要とされる電気配線が、外部から前記接続部に接続され、前記接続部を介して、前記表示部、前記支持部、前記当接部、前記回動部に導かれていることを特徴とするもの（請求項９）である。
【００２６】
本手段においては、電気配線が外部から前記接続部に接続されているので、画像観察時に邪魔にならず、不快感を与えることを防止できる。
【発明の効果】
【００２７】
本発明によれば、顔面前方によけいな部材が常に存在することをなくし、デザイン的にも優れたヘッドマウントディスプレイを提供することができる。
【発明を実施するための最良の形態】
【００２８】
以下、本発明の実施の形態の例を、図を用いて説明する。図１は、本発明の第１の実施の形態であるヘッドマウントディスプレイの概要図である。ヘッドマウントディスプレイ１は、画像を形成し、それを光学系を介して人間の瞳内に投影する表示部２と、表示部２を保持するディスプレイアーム（支持部）３と、ディスプレイアーム３を保持する装着部４とからなり、装着部４は、２つの耳当て部５（当接部に相当する）とそれらを接続する接続部６から成り立っている。
【００２９】
耳当て部５には耳かけ部材７が設けられると共に、回動部８が設けられ、回動部８にディスプレイアーム３が結合されている。この構造によりディスプレイアーム３は、回動部８の回動中心を中心として、図１に示された眼前の位置から、図の下側方向（矢印Ａで示す）に回動可能となっている。
【００３０】
表示部２はディスプレイアーム３の先端部に接続されているが、図に実線で示す画像観察位置と、２点鎖線で示す待避位置との間を回動可能とされている。なお、９は、配線であり、表示部２内で画像を形成するＬＣＤ等の機器や、耳当て部５内に設けられることがあるヘッドホーンや、その他スイッチ類につながる配線をまとめたものである。このように、配線９が、接続部６にまとめて接続され、そこから接続部６を通して耳当て部５に、さらには回動部８、ディスプレイアーム３を通して表示部２に接続されることにより、使用時に煩わしさを与えることがなくなる。
【００３１】
図１に実線で示された使用状態の位置から、ディスプレイアーム３を下側に回動すると、表示部２が使用者の頭部Ｈの前面にあたってしまう。そこで、ディスプレイアーム３を下側に回動させる前に、表示部２を矢印Ｂで示すように回動させて、使用者の頭部Ｈの前面から離れた２点鎖線で示す待避位置とし、その上でディスプレイアーム３を下側に回動させれば、表示部２が使用者の頭部Ｈの前面に当たることなく、表示部２とディスプレイアーム３を使用者の顔面から下側に位置させることができる。
【００３２】
この様子を図２に示す。なお、以下の図面において、前出の図面に示された構成要素と同じ構成要素には、同じ符号を付してその説明を省略することがある。図２においては、表示部２とディスプレイアーム３が完全に使用者の顔面から外れた位置にあり、接続部６と重なった位置とされている。すなわち、表示部２は、その待避位置とされたときには、ディスプレイアーム３が接続部６と重なるように回動されたときでも、接続部６にぶつからないようにされている。よって、図２に示すような状態で、ヘッドマウントディスプレイ１を頭部Ｈから外したとき、形状がコンパクトになり、収納性がよくなる。
【００３３】
図３は、本発明の第２の実施の形態であるヘッドマウントディスプレイの概要図である。この実施の形態は、第１の実施の形態とは、第１の実施の形態では接続部６が頭部Ｈの下側に位置していたのに対し、接続部６が頭部Ｈの上側に位置するようにされ、頭部にかぶるような形で装着されるところが異なっている。図１に示すように第１の実施の形態では、ヘッドマウントディスプレイ１が２つの耳当て部５により支持されているだけであり、不安定となる可能性があるが、第２の実施の形態では、ヘッドマウントディスプレイ１が頭部Ｈの上面でも支持されることになり、より安定性が高まる。
【００３４】
図３は、表示部２とディスプレイアーム３が使用位置にある場合を示しているが、使用しない場合は、表示部２を矢印Ｂで示すように２点鎖線で示す待避位置に回動させ、その上でディスプレイアーム３を回動部８を中心に頭部Ｈの上方に回動させて（矢印Ｃで示す）、顔面の位置から上方に位置される。これにより、不使用時には顔面の前に表示部２とディスプレイアーム３が位置することがなくなる。
【００３５】
なお、ディスプレイアーム３の回動の前に表示部２を待避位置とするのは、第１の実施の形態と同様、ディスプレイアーム３の回動の際に表示部２が頭部Ｈに当たらないようにするためである。又、ディスプレイアーム３を回動させて接続部６と重なる位置とした場合に、待避位置にある表示部２が接続部６に当たらないようにすると、収納性がよくなることは第１の実施の形態と同じである。
【００３６】
以上においては、第１の実施の形態ではディスプレイアーム３を下方に回動させ、第２の実施の形態ではディスプレイアーム３を上方に回動させているが、第１の実施の形態でディスプレイアーム３を上方に回動させ、第２の実施の形態でディスプレイアーム３を下方に回動させるようにしてもよいことは言うまでもない。
【００３７】
図４は、本発明の第３の実施の形態であるヘッドマウントディスプレイの概要図である。この実施の形態は、第１の実施の形態とは、第１の実施の形態においては、回動部８が耳当て部５に取り付けられていたのに対し、接続部６に取り付けられている点のみが異なっている。このように、回動部８を接続部６に取り付けることによって、取り付け位置のフレキシビリティを増すことができる。更に、回動部８が接続部６に沿って摺動可能となるような取り付け方をすると、装着者の頭部Ｈの形状に合わせて、最適な位置に表示部２とディスプレイアーム３を位置させることができる。
【００３８】
図４は、表示部２の使用状態を示しているが、使用をやめるとき、表示部２を図１と同じような待避位置（図示せず）とし、ディスプレイアーム３を下方又は上方に回動させることにより、表示部２とディスプレイアーム３が顔面前方に位置しないようにする。
【００３９】
図５は、ディスプレイアーム３を下方に回動させ、接続部６とディスプレイアーム３が重なるようにした図である。この場合も、図２と同様に、表示部２が待避位置にあるため、接続部６に当たることがない。よって、全体がコンパクトになり、収納性がよくなる。
【００４０】
図６は、本発明の第４の実施の形態であるヘッドマウントディスプレイの概要図である。この実施の形態は、第１の実施の形態とは、掛け紐１０と締め具１１が取り付けられている点のみが異なっている。この掛け紐１０は、ヘッドマウントディスプレイ１の装着時に、頭部の後に回して締め具１１で締め付けて頭部に装着するためのものである。
【００４１】
前述のように、接続部６が頭部の下方に位置する場合は、ヘッドマウントディスプレイ１が２つの耳当て部５によって支持されているだけなので、外れる可能性がある。よって、掛け紐１０で頭部後方からヘッドマウントディスプレイ１を支持することにより、安定性を増すことができる。なお、ヘッドマウントディスプレイ１を使用しないときには、ヘッドマウントディスプレイ１を耳から外し、締め具１１を緩めて掛け紐１０を長くすることにより、ヘッドマウントディスプレイ１を首に掛けて保持することができる。
【００４２】
図７は、本発明の第５の実施の形態であるヘッドマウントディスプレイの概要図である。この実施の形態の基本構成は、第１の実施の形態と同じである。しかし、この実施の形態においては、表示部２の使用状態の位置においては、ヘッドマウントディスプレイ１全体の耳当て部５の周りの回転モーメントが図において反時計回りに大きくされており、耳と耳当て部５との間のフリクションに打ち勝つようにされている。
【００４３】
そのため、表示部２を使用しているときには、ヘッドマウントディスプレイ１全体が図の反時計回りに回動するようになっており、接続部６が装着者の胸に当たった状態に保持される。接続部６が胸に直接当たらないように、柔軟な素材からなる胸当て部材１２が設けられている。
【００４４】
前述のように、接続部６が頭部Ｈの下側に来る場合には、ヘッドマウントディスプレイ１全体が耳当て部５で支えられているだけなので、不安定になる。よって、装着者が首を振った場合、表示部２が眼前の位置から離れてしまう場合がある。本実施の形態においては、このようなことが一時的に発生しても、最終的には、胸当て部材１２が装着者の胸に当たった状態に戻るので、表示部２も装着者の眼前の位置に戻る。よって、安定して使用を続けることができる。
【００４５】
なお、本実施の形態では、装着者が本ヘッドマウントディスプレイを装着する際に、両耳を耳当て部５と接続部６により挟持して、頭部に装着するようにしているが、装着法はこのようなものに限られず、当接部が少なくとも装着者の側頭部を挟持できるようになっていればよい。但し、耳に当接させるようにすれば、耳のような突起部に装着することができ、より保持力を高めることができるという利点がある。
【図面の簡単な説明】
【００４６】
【図１】本発明の第１の実施の形態であるヘッドマウントディスプレイの概要図である。
【図２】図１に示すヘッドマウントディスプレイのディスプレイアームを顔面の下側に回動させた状態を示す図である。
【図３】本発明の第２の実施の形態であるヘッドマウントディスプレイの概要図である。
【図４】本発明の第３の実施の形態であるヘッドマウントディスプレイの概要図である。
【図５】図４に示すヘッドマウントディスプレイのディスプレイアームを顔面の下側に回動させた状態を示す図である。
【図６】本発明の第４の実施の形態であるヘッドマウントディスプレイの概要図である。
【図７】本発明の第５の実施の形態であるヘッドマウントディスプレイの概要図である。
【符号の説明】
【００４７】
１…ヘッドマウントディスプレイ、２…表示部、３…ディスプレイアーム、４…装着部、５…耳当て部、６…接続部、７…耳かけ部材、８…回動部、９…配線、１０…掛け紐、１１…締め具、１２…胸当て部材
【図１】
2006005827.tif 000003
【図２】
2006005827.tif 000004
【図３】
2006005827.tif 000005
【図４】
2006005827.tif 000006
【図５】
2006005827.tif 000007
【図６】
2006005827.tif 000008
【図７】
2006005827.tif 000009